(57)【要約】  本発明は、無線通信システムにおけるキャリア間干渉を相殺する伝送方法及び装置をもたらす。特定のサブキャリアはデータ伝送には使用されず、その特定のサブキャリアは、干渉を起こす第１サブキャリア群が、干渉を被る第２サブキャリア群に及ぼすICI干渉を相殺するように重み付けされたデータを伝送する。重みは、与干渉サブキャリア及び被干渉サブキャリア間の周波数オフセットに反比例する。
2010502078.tif 000002
【特許請求の範囲】
【請求項１】
キャリア間干渉を相殺する伝送方法であって、
(a)  第１のサブキャリア群及び第２のサブキャリア群の間に少なくとも１つの分離サブキャリアを設定するステップと、
(b)  前記分離サブキャリアから前記第２のサブキャリア群に及ぶキャリア間干渉が、前記第１のサブキャリア群から前記第２のサブキャリア群に及ぶキャリア間干渉を補償するように、前記分離サブキャリアでのデータ値を決定するステップと、
(c)  前記第１のサブキャリア群、前記第２のサブキャリア群及び前記分離サブキャリアを含む複数のサブキャリアにより、データを送信するステップと
を有する伝送方法。
【請求項２】
前記分離サブキャリアでの前記データ値が、前記第１のサブキャリア群各々におけるデータの重み付け加算に基づいて決定され、サブキャリア各々に対応する重み付けの因子は、前記キャリア間干渉の特性により決定される、請求項１記載の伝送方法。
【請求項３】
干渉元のサブキャリア及び干渉先のサブキャリア間の干渉係数が、前記干渉元のサブキャリア及び前記干渉先のサブキャリア間の周波数オフセットに反比例するように、前記サブキャリア間干渉の特性が特徴付けられる、請求項２記載の伝送方法。
【請求項４】
前記分離サブキャリア数が１である場合、該分離サブキャリアでの値Dt1が、
【数６】
2010502078.tif 000009
により決定され、α1nは、第１のサブキャリア群中のｎ番目のサブキャリアに対応する重み因子であり、Ｎは第１のサブキャリア群のサブキャリア数であり、Dnは対応するサブキャリアで伝送されるデータであり、s1,s2はそれぞれ１番目及びＮ番目のサブキャリアのシーケンス番号である、請求項３記載の伝送方法。
【請求項５】
前記分離サブキャリア数が２である場合、該分離サブキャリアでの値Dt1及びDt1が、
【数７】
2010502078.tif 000010
によりそれぞれ決定され、α1nは、第１のサブキャリア群中のｎ番目のサブキャリアに対応する重み因子であり、Ｎは第１のサブキャリア群のサブキャリア数であり、Dnは対応するサブキャリアで伝送されるデータであり、s1,s2はそれぞれ１番目及びＮ番目のサブキャリアのシーケンス番号であり、β1及びβ2はそれぞれ２つの分離サブキャリアの干渉配分因子である、請求項３記載の伝送方法。
【請求項６】
干渉元サブキャリア及び干渉先のサブキャリア間の干渉係数の変化が、干渉元サブキャリア及び干渉先のサブキャリア間の周波数オフセットに関して平坦になるように、前記サブキャリア間干渉の特性が特徴付けられる、請求項２記載の伝送方法。
【請求項７】
前記分離サブキャリア数が１である場合、該分離サブキャリアでの値Dt1が、
【数８】
2010502078.tif 000011
により決定され、α1nは、第１のサブキャリア群中のｎ番目のサブキャリアに対応する重み因子であり、Lは定数であり、Dnは対応するサブキャリアで伝送されるデータであり、s1,s2はそれぞれ１番目及びＮ番目のサブキャリアのシーケンス番号である、請求項６記載の伝送方法。
【請求項８】
前記分離サブキャリア数が２である場合、該分離サブキャリアでの値Dt1及びDt1が、
【数９】
2010502078.tif 000012
によりそれぞれ決定され、α1nは、第１のサブキャリア群中のｎ番目のサブキャリアに対応する重み因子であり、Lは定数であり、Dnは対応するサブキャリアで伝送されるデータであり、s1,s2は１番目及びＮ番目のサブキャリアのシーケンス番号であり、β1及びβ2はそれぞれ２つの分離サブキャリアの干渉配分因子である、請求項６記載の伝送方法。
【請求項９】
キャリア間干渉を相殺する伝送装置であって、
第１のサブキャリア群及び第２のサブキャリア群の間に少なくとも１つの分離サブキャリアを設定する設定部と、
前記分離サブキャリアから前記第２のサブキャリア群に及ぶキャリア間干渉が、前記第１のサブキャリア群から前記第２のサブキャリア群に及ぶキャリア間干渉を補償するように、前記分離サブキャリアでのデータ値を決定する決定部と、
前記第１のサブキャリア群、前記第２のサブキャリア群及び前記分離サブキャリアを含む複数のサブキャリアにより、データを送信する送信部と
を有する伝送装置。
【請求項１０】
前記分離サブキャリアでの前記データ値が、前記第１のサブキャリア群各々におけるデータの重み付け加算に基づいて決定され、サブキャリア各々に対応する重み付けの因子は、前記キャリア間干渉の特性により決定される、請求項９記載の伝送装置。
【請求項１１】
干渉元のサブキャリア及び干渉先のサブキャリア間の干渉係数が、前記干渉元のサブキャリア及び前記干渉先のサブキャリア間の周波数オフセットに反比例するように、前記サブキャリア間干渉の特性が特徴付けられる、請求項１０記載の伝送装置。
【請求項１２】
前記分離サブキャリア数が１である場合、該分離サブキャリアでの値Dt1が、
【数１０】
2010502078.tif 000013
により決定され、α1nは、第１のサブキャリア群中のｎ番目のサブキャリアに対応する重み因子であり、Ｎは第１のサブキャリア群のサブキャリア数であり、Dnは対応するサブキャリアで伝送されるデータであり、s1,s2は１番目及びＮ番目のサブキャリアのシーケンス番号である、請求項１１記載の伝送装置。
【請求項１３】
前記分離サブキャリア数が２である場合、該分離サブキャリアでの値Dt1及びDt1が、
【数１１】
2010502078.tif 000014
によりそれぞれ決定され、α1nは、第１のサブキャリア群中のｎ番目のサブキャリアに対応する重み因子であり、Ｎは第１のサブキャリア群のサブキャリア数であり、Dnは対応するサブキャリアで伝送されるデータであり、s1,s2は１番目及びＮ番目のサブキャリアのシーケンス番号であり、β1及びβ2はそれぞれ２つの分離サブキャリアの干渉配分因子である、請求項１１記載の伝送装置。
【請求項１４】
干渉元サブキャリア及び干渉先のサブキャリア間の干渉係数の変化が、干渉元サブキャリア及び干渉先のサブキャリア間の周波数オフセットに関して平坦になるように、前記サブキャリア間干渉の特性が特徴付けられる、請求項１０記載の伝送装置。
【請求項１５】
前記分離サブキャリア数が１である場合、該分離サブキャリアでの値Dt1が、
【数１２】
2010502078.tif 000015
により決定され、α1nは、第１のサブキャリア群中のｎ番目のサブキャリアに対応する重み因子であり、Lは定数であり、Dnは対応するサブキャリアで伝送されるデータであり、s1,s2は１番目及びＮ番目のサブキャリアのシーケンス番号である、請求項１４記載の伝送装置。
【請求項１６】
前記分離サブキャリア数が２である場合、該分離サブキャリアでの値Dt1及びDt1が、
【数１３】
2010502078.tif 000016
によりそれぞれ決定され、α1nは、第１のサブキャリア群中のｎ番目のサブキャリアに対応する重み因子であり、Lは定数であり、Dnは対応するサブキャリアで伝送されるデータであり、s1,s2は１番目及びＮ番目のサブキャリアのシーケンス番号であり、β1及びβ2はそれぞれ２つの分離サブキャリアの干渉配分因子である、請求項１４記載の伝送装置。
【発明の詳細な説明】
【技術分野】
【０００１】
本発明は無線通信システムに関連し、特に、マルチキャリア通信システムにおけるキャリア間干渉を除去する伝送方法及び装置に関する。
【背景技術】
【０００２】
OFDM(直行周波数分割多重)法はマルチキャリア変調法であり、送信データは、複数のサブキャリアにわたって変調され、並列的に伝送される。この方法は、周波数選択性フェージングや狭帯域干渉に対する耐性が優れているので、無線通信システムに広く適用されている。OFDMシステムは周波数オフセットの影響を非常に受けやすく、周波数オフセットは、例えば送信機及び受信機間の周波数オフセットによって引き起こされる。キャリア周波数オフセットは、サブキャリア位相回転、振幅フェージング及びICI(キャリア間干渉)のような一連の問題を引き起こし、これらの問題はOFDM技術の応用範囲を狭めている。従って、キャリア間干渉を如何にして打ち消すかは、OFDMシステムで非常に重要な問題になる。
【０００３】
OFDMシステムでキャリア間干渉を打ち消す伝送方法及び装置は、例えば特許文献１に開示されており、“Transmitting  and  receiving  apparatus  and  method  in  an  orthogonal  frequency  division  multiplexing  system  using  an  insufficient  cyclic  prefix”と題するその特許文献１は、2005年1月12日付で出願されている。そのOFDMシステムはN個のサブキャリアを有し、その場合にK個のサブキャリアが冗長サブキャリア(redundant  sub-carriers)に指定されている。この特許出願による伝送装置はPフィルタを有し、Pフィルタは、(N-K)個のデータシンボルを受信し、K個の仮想データシンボルを生成する。伝送装置は、N個のサブキャリアに対応するN個の入力タップを有するIFFT(逆高速フーリエ変換器)も有する。IFFTは、(N-K)個のデータシンボルと、冗長サブキャリアに対応するK個の仮想データシンボルとを受信し、(N-K)このデータシンボル及びK個の仮想データシンボルについて逆高速フーリエ変換を行い、データフレームを出力する。この場合において、K個の仮想データシンボルは或る値に設定され、その或る値は、ICIを生み出す時間領域信号の値がデータフレーム中でゼロになり、複数のサブキャリアの中で生じる干渉が打ち消されるように設定される。
【先行技術文献】
【特許文献】
【０００４】
【特許文献１】欧州特許出願公開第１４９６６５９号明細書
【発明の概要】
【発明が解決しようとする課題】
【０００５】
実際の通信システムの場合、OFDMシンボルに対応する複数のサブキャリアは、異なる性質のデータを伝搬し、特に共通チャネルのデータ及びトラフィックチャネルのデータを同時に伝送する。異なる性質のデータは異なるICIを生み出す。例えば、ブロードキャストチャネル及び同期チャネルのデータは、その高い送信電力に起因して、トラフィックチャネルで同時に伝送されるデータに大きな干渉を及ぼし、しばしば通信設計の致命的問題にさえなってしまう。
【０００６】
本発明の課題は、ある連続的なサブキャリア群から別のサブキャリア群に及ぶ干渉をキャンセルするのに効果的な伝送方法及び伝送装置を提供することである。
【課題を解決するための手段】
【０００７】
本発明で解決される上記課題は、同じ伝送シンボルの複数のサブキャリアの中で、一連のサブキャリア群が別のサブキャリア群に及ぼす干渉を相殺することである。
【０００８】
この課題に対処するため、本発明は、無線通信システムでキャリア間干渉を相殺する伝送方法を提供し、当該伝送方法は、第１に、第１のサブキャリア群及び第２のサブキャリア群の間に少なくとも１つの分離サブキャリアを設定し；第２に、前記分離サブキャリアから前記第２のサブキャリア群に及ぶキャリア間干渉が、前記第１のサブキャリア群から前記第２のサブキャリア群に及ぶキャリア間干渉を補償するように、前記分離サブキャリアでのデータ値を決定し；最終的に、前記第１のサブキャリア群、前記第２のサブキャリア群及び前記分離サブキャリアを含む複数のサブキャリアにより、データを送信するようにした伝送方法である。
【０００９】
本発明は、無線通信システムでキャリア間干渉を相殺する伝送装置も提供し、当該伝送装置は、第１のサブキャリア群及び第２のサブキャリア群の間に少なくとも１つの分離サブキャリアを設定する設定部と、前記分離サブキャリアから前記第２のサブキャリア群に及ぶキャリア間干渉が、前記第１のサブキャリア群から前記第２のサブキャリア群に及ぶキャリア間干渉を補償するように、前記分離サブキャリアでのデータ値を決定する決定部と、前記第１のサブキャリア群、前記第２のサブキャリア群及び前記分離サブキャリアを含む複数のサブキャリアにより、データを送信する送信部とを有する伝送装置である。
【００１０】
要するに、本発明による伝送方法及び装置と共に、一連のサブキャリア群が別のサブキャリア群に及ぼす干渉は、２つの一連のサブキャリア群が、同じ伝送シンボルに関する複数のサブキャリアの一部分である場合、効果的に相殺できる。
【００１１】
本発明の更なる理解及び他の形態や功績は、添付図面と共に以下の詳細な説明及び特許請求の範囲を参照することで更に明確に理解されるであろう。
【図面の簡単な説明】
【００１２】
【図１】ICI低減のための本発明による伝送方法例のフローチャート。
【図２】ICI低減のための本発明による伝送方法における第１のサブキャリア配置を示す図。
【図３】ICI低減のための本発明による伝送方法における第２のサブキャリア配置を示す図。
【図４】ICI低減のための本発明による伝送方法における第３のサブキャリア配置を示す図。
【図５】サブキャリア干渉重み係数の実部及び虚部が、通常のOFDMシステムのサブキャリア周波数オフセットと共に如何に変化するかを示す図。
【図６】ICI低減のための本発明による伝送方法で達成可能な干渉キャンセル効果のシミュレーション結果を示す図。
【図７】ICI低減のための本発明による伝送装置例を示すブロック図。
【発明を実施するための形態】
【００１３】
以下、ICI低減を図る本発明による伝送方法及び装置を添付図面とともに詳細に説明する。
【００１４】
ICI低減を図る本発明による伝送方法は、干渉元のサブキャリア群及び干渉先のサブキャリア群の間に分離サブキャリアを用意し、更に分離サブキャリアに或る値を設定することで、干渉元サブキャリア群から干渉先サブキャリアに及ぶ干渉を打ち消すのを支援する。
【００１５】
図１は、本発明によるICI低減のための伝送方法を示すフローチャートである。図１に示されるように、本発明による方法は：第１のサブキャリア群及び第２のサブキャリア群の間に少なくとも１つの分離サブキャリア(isolated  sub-carrier)を設定し(ステップS10)；分離サブキャリアから第２のサブキャリア群に及ぶキャリア間干渉が、第１のサブキャリア群から第２のサブキャリア群に及ぶキャリア間干渉を補償するように、分離サブキャリアのデータ値を決定し(ステップS20)；及び第１のサブキャリア群、第２のサブキャリア群及び分離サブキャリアを含む複数のサブキャリアにより、データを送信すること(ステップS30)を含む。
【００１６】
図１のICI低減のための伝送方法の場合、第１のサブキャリア群は、干渉を生じさせるサブキャリア群であり、以後「干渉元(interfering  source)サブキャリア」又は与干渉サブキャリアと言及され、第２のサブキャリア群は、干渉を受けるサブキャリア群であり、以後「ターゲットサブキャリア(又は干渉先サブキャリア若しくは被干渉サブキャリア)」と言及される。第１のサブキャリア群及び第２のサブキャリア群の間に設定される分離サブキャリア数は、実施条件に応じて適宜調整可能である。OFDMシンボルに対応する複数のサブキャリアの中で、干渉元サブキャリア又は干渉先サブキャリアの組み合わせが複数個存在する場合、分離サブキャリアが複数組設定されてもよい。
【００１７】
実際の通信システムの場合、OFDMシンボルに対応する複数のサブキャリアが、(例えば、ブロードキャストチャネル及びSYNチャネルのような)共通チャネルのデータ及びトラフィックチャネルのデータを同時に伝送する場合、共通チャネルは、通常的には、伝送周波数帯域全体の内の中央のサブキャリア群を占める。例えば、様々な伝送帯域幅を伴うE-UTRA移動通信システムの場合、下りリンク共通チャネルは一般に、伝送帯域幅の変更に対応するために、帯域の中央のサブキャリア群を占める。例えば、E-UTRAの場合、セルの伝送帯域幅は、1.25MHz乃至20MHzの範囲内にある。このことは、共通チャネルの両側がトラフィックチャネルに使用可能であること、及びそしてトラフィックチャネルは共通チャネルのデータから干渉を受けることを意味する。この場合、ICIをキャンセルするために共通チャネルの両側に分離サブキャリアを設定する必要がある。
【００１８】
図２は、本発明によるICI低減のための伝送方法における第１のサブキャリア構成例を示す。図２に示されるサブキャリア構成の場合、OFDMシンボルDに対応する複数のサブキャリアは、１つの干渉元サブキャリア群と、２つの干渉先サブキャリア群とを含み、干渉元サブキャリア群及び干渉先サブキャリア群各々の間に、第１及び第２の分離サブキャリアがそれぞれ設定されている。図２を参照するに、横軸は時間を示し、各グリッド(各マス目)はOFDMシンボル間隔に対応する。縦軸は周波数を示し、各グリッドは１つのサブキャリアに対応する。(図中、Dで示されるような)OFDMシンボルは、複数のサブキャリアを有し、白地のグリッドはデータサブキャリア(即ち、干渉先サブキャリア)を表し；斜線のグリッドは(共通チャネルで伝送されるデータのような)干渉元サブキャリアを表し；影の付されたグリッドは、設定された分離サブキャリアを表す。s1及びs2は、１番目の及びN番目の干渉元サブキャリアのシーケンス番号(連続番号)であり、t1及びt2は分離サブキャリアのシーケンス番号(連続番号)である。図２に示される例の場合、干渉元サブキャリア群及び干渉先データサブキャリア群の間に設定される分離サブキャリア数は、１である。
【００１９】
図３は、ICI低減のための本発明による伝送方法における第２のサブキャリア構成例を示す。図３のサブキャリアでは、干渉元サブキャリア群及び干渉先サブキャリア群間に設定される分離サブキャリア数が２である点を除いて、図３のサブキャリア構成は図２と同様である。
【００２０】
図４は、ICI低減のための本発明による伝送方法における第３のサブキャリア構成を示す。図４のサブキャリアの場合、２組の干渉元サブキャリア群により生み出される干渉を相殺するため、その２組の干渉元サブキャリア群の間に分離サブキャリアが設定されている点を除いて、図４のサブキャリア構成は図２と同様である。
【００２１】
図５は、サブキャリアの干渉重み係数が、通常のOFDMシステムのキャリア周波数オフセットと共に如何に変化するかを示す。図１乃至図５の分離サブキャリアに(相応しい)データを設定する方法が、以下で詳細に説明される。
【００２２】
ICI(キャリア間干渉)は、OFDMや他のマルチキャリア技術に基づく無線通信に特有の問題であり、いくつかのサブキャリアにわたる不完全な直交性によって引き起こされ、例えば送信機及び受信機間のキャリア周波数オフセットや、ドップラ周波数シフト等によって生じる。16サブキャリアのOFDMシステムを例にとると、あるサブキャリアのデータは、他のサブキャリアのデータから干渉を受ける。“Analysis  of  new  and  existing  methods  of  reducing  inter-carrier  interference  due  to  carrier  frequency  offset  in  OFDM”,  Jean  Armstrong,  IEEE  Trans.Commun.,  1999,  47,  3:  365-369  によると、ｉ番目のサブキャリアが他のサブキャリアのデータから受ける干渉は、次式で与えられる：
【００２３】
【数１】
2010502078.tif 000003
ここで、diはｉ番目のサブキャリアで伝送されるデータであり、それが受信機で受信された場合の対応するデータはdi’であり、cl-iは、ｉ番目のサブキャリアについての干渉係数であり、その干渉はｉ番目のサブキャリアのデータに起因する。c0は有効な信号diの伝送係数であり、0≦i≦15，−15≦l-i≦15  である。
【００２４】
図５はキャリア周波数オフセットの変化に対するサブキャリア干渉係数を示し、横軸は、干渉元サブキャリア及び干渉先サブキャリア間のキャリア周波数オフセットを、サブキャリア周波数帯域幅の倍数で示す。縦軸は、サブキャリア干渉係数の実部及び虚部を示し、その係数値はキャリア周波数オフセットと共に変化する。図から分かるように、干渉元サブキャリア及び干渉先サブキャリア間のキャリア周波数オフセットが増加する場合、隣接サブキャリア間の干渉係数の実数成分及び虚数成分の振幅は、僅かに変化し、干渉係数の振幅は徐々に減少している。通常のICIキャンセル法の場合、同じOFDMシンボル中の２つのサブキャリアのデータ各々が、伝送効率を犠牲にして使用され、ICIを相殺する。その場合、正の位相のデータが一方のサブキャリアで伝送され、負の位相のデータが他方のサブキャリアで伝送される。図５において、キャリア周波数オフセットに関してICIが変化する性質及びICIの数式表現(1)を更に考察すると、ICI係数曲線は、干渉元サブキャリア及び干渉先サブキャリア間の周波数オフセットの逆関数(reciprocal  function)によって近似できることが分かる。更に、干渉元サブキャリアが伝送帯域幅全体の内の僅かな部分しか占めていない場合、ICI係数曲線は平坦になる傾向があり、様々な干渉元サブキャリアから干渉先サブキャリアに及ぶ干渉の係数は近似的に等しい。この分析結果は、本発明による干渉キャンセル法のステップS20で使用可能である。
【００２５】
図２に示されるようなサブキャリア構成の場合、干渉先サブキャリアは干渉元サブキャリアの両側に分布し、干渉元サブキャリア及び干渉先サブキャリア間に２つの分離サブキャリアがそれぞれ設定される。分離サブキャリアでの値は、次式のように規定できる：
【００２６】
【数２】
2010502078.tif 000004
ここで、α1n及びα2nは、干渉先サブキャリア群中のｎ番目のサブキャリアに対応する重み係数であり、Dnは対応するサブキャリアで伝送されるデータであり、s1,s2それぞれは、干渉元サブキャリア群中の１番目及びＮ番目のサブキャリアのシーケンス番号であり、Ｎは干渉元サブキャリア群のサブキャリア数である。
【００２７】
図３に示されるようなサブキャリア構成の場合、干渉先サブキャリアは干渉元サブキャリアの両側に分布し、干渉元サブキャリア及び干渉先サブキャリア間に２つの分離サブキャリアがそれぞれ設定される。分離サブキャリアでの値は、次式のように規定できる：
【００２８】
【数３】
2010502078.tif 000005
ここで、β1及びβ2は、２つの分離サブキャリアそれぞれに対する干渉配分因子であり、他のパラメータは数式(2)のものと同様である。
【００２９】
数式(2),(3-1),(3-2)の重み因子α1n及びα2nは、ICIがキャリア周波数オフセットに関して変化する性質に基づいて決定可能であり、分離サブキャリアでのデータ値は、分離サブキャリアから干渉先サブキャリアに及び干渉が、干渉元サブキャリアから干渉先サブキャリアに及ぶ干渉を最も補償するように最適化可能である。
【００３０】
干渉元サブキャリア及び干渉先サブキャリア間の干渉係数が、干渉元サブキャリア及び干渉先サブキャリア間の周波数オフセットに逆比例する場合、α1n及びα2nは、次式で与えられる：
【００３１】
【数４】
2010502078.tif 000006
干渉先サブキャリアが伝送帯域全体の内の小さな部分しか占めていない場合であって、干渉元サブキャリア及び干渉先サブキャリア間の干渉係数が、干渉元サブキャリア及び干渉先サブキャリア間の周波数オフセットに対して平坦である場合(さほど変化しない場合)、α1n及びα2nは、次式で与えられる：
【００３２】
【数５】
2010502078.tif 000007
上記の数式(2),(3)又は(4)と共に、様々な適用場面における分離サブキャリアのデータ値が設定可能である。
【００３３】
図６は、本発明による干渉相殺法のシミュレーション結果を示す。シミュレーションに対応する環境では、中心キャリア周波数は2GHzであり、伝送帯域幅は5MHzであり、サブキャリア帯域幅は15kHzであり(即ち、301サブキャリアのOFDMシンボルに相当する。中心の１つは変調に使用されずデータ伝送に使用されない)、干渉元サブキャリア数は76であり、その両側で均等に112個の干渉先サブキャリア(即ち、データサブキャリア)が分布し、２つの分離サブキャリアが、干渉元サブキャリア群及び干渉先サブキャリア文の間にそれぞれ設定され、シミュレーションの無線伝搬環境はレイリー高速フェージングである。
【００３４】
通信システムの実際の配置では、上記のICIを相殺するために２つのサブキャリアで１つのデータを伝送する上記の方法は使用されない。なぜなら、その方法の伝送効率は50%にすぎないからである。一般的な方法は、深刻な干渉をもたらす干渉元に隣接するサブキャリアをアイドル(idle)に、即ちアイドルサブキャリアとして設定することであり、このため、シミュレーションでの参考的な方法としてパフォーマンスの比較例として、アイドルサブキャリア法が使用されている。
【００３５】
図６に示されるように、実線は、分離サブキャリアがアイドルの場合のパフォーマンス曲線を示し、破線は、固定重み付け因子(数式(5)の場合、−1/2)が使用される場合のパフォーマンス曲線を示し、一点鎖線は、逆関数(数式(4))が使用される場合のパフォーマンス曲線を示す。干渉元近傍の干渉先サブキャリアのパフォーマンスは、アイドルサブキャリアと比較して、逆関数法、アイドルサブキャリア法、そして固定重み因子法の順に悪化していることが、図６から理解できる。干渉先サブキャリアが干渉元から遠ざかると、パフォーマンスは、固定重み因子法、逆関数法そしてアイドルサブキャリア法の順に悪化している。
【００３６】
要するに、全ての状況において、逆関数法は、アイドルサブキャリアより良好なパフォーマンスになり、一般的に使用する方法とすることができる。固定重み因子法は、干渉先サブキャリアが干渉元から遠ざかっている場合に最適なパフォーマンスを達成できるので、例えば、干渉先サブキャリア全体の干渉電力合計を最小化しなければならないような特定の状況で有用である。
【００３７】
図６は、１対の分離サブキャリアが干渉元サブキャリアの両側に設定されている場合に関連する。本方法及び考察結果は、１つの分離サブキャリアが一方の側にのみ設定されている場合、即ち干渉先サブキャリアが分離サブキャリアの一方の側に分布している場合にも適用可能である。
【００３８】
ところで、伝送効率の観点からは、分離サブキャリア法は僅かな損失しか引き起こさない。以下の表１は、3GPP  LTEシステムを例にとった場合に、本発明によるICI相殺法により生じる伝送効率劣化を示す。本方法は僅かな伝送効率劣化しか引き起こさず、特に伝送帯域幅が広い場合、伝送効率の損失はほとんど無視できることが、表１から分かる。
【００３９】
表１：伝送効率劣化の考察
【００４０】
【表１】
2010502078.tif 000008
干渉元サブキャリア群から干渉先サブキャリア群に及ぶ干渉を相殺する図１の方法は、ソフトウエアで、ハードウエアで又は双方の組み合わせで実現可能である。図７は、ICI相殺のための本発明による伝送装置例100を示すブロック図である。伝送装置は、設定部部10、決定部20及び送信部30を有する。
【００４１】
設定部10は、主に、第１のサブキャリア群(即ち、干渉先サブキャリア)及び第２のサブキャリア群(即ち、干渉先サブキャリア)の間に少なくとも１つの分離サブキャリアを設定する。具体的には図２−４に示される配置を実現する。
【００４２】
決定部20は、主に、分離サブキャリアでのデータ値を決定するのに使用され、設定される分離サブキャリアにより干渉先サブキャリアに及ぶキャリア間干渉が、干渉元サブキャリアから干渉先サブキャリアに及ぶキャリア間干渉を補償するようにデータ値を決定する。分離サブキャリアでのデータ値を決定する方法は、数式(2)、(3-1)、(3-2)及び(4)及び図２−４に示される構成例に関連して説明したとおりであり、重複的な説明を省略する。
【００４３】
送信部30は、主に、干渉元サブキャリア、干渉先サブキャリア及び分離サブキャリアを含む複数のサブキャリアでデータを伝送するのに使用される。OFDMシステムの場合、OFDMシンボルに対応するサブキャリア上のデータを、IFFTを使って周波数領域から時間領域に変換した後に、複数のサブキャリアに対応するデータを送信アンテナに出力する。IFFTの変換は、OFDM法で一般的な知識なので、説明を省略する。
【００４４】
OFDMシステムだけでなく、MC-CDMA(マルチキャリア符号分割多重アクセス)システム及びマルチキャリアの性質を有するSC-FDMA(シングルキャリア周波数分割多重アクセス)システムにも本発明が適用可能なことは、当業者に理解されるであろう。
【００４５】
本発明の具体的な実施例は限定的ではなく例示的であるよう意図されていることが、当業者に理解されるであろう。添付の特許請求の範囲で規定されている本発明の本質から逸脱せずに、無線通信システムでICIを相殺する本発明による方法及び装置に対して、様々な改善及び修正が可能である。
【図１】
2010502078.tif 000017
【図２】
2010502078.tif 000018
【図３】
2010502078.tif 000019
【図４】
2010502078.tif 000020
【図５】
2010502078.tif 000021
【図６】
2010502078.tif 000022
【図７】
2010502078.tif 000023
【国際調査報告】
2010502078.tif 000024
2010502078.tif 000025
2010502078.tif 000026
2010502078.tif 000027
2010502078.tif 000028